(57)【要約】【課題】正常な回路動作上及び安全規格上の問題を生じさせることなく、起動時の消費電力及び突入電流を低減させる。【解決手段】電源回路１は、電源から負荷への供給電流を平滑化する平滑コンデンサＣ１と、平滑コンデンサＣ１に対し並列に接続された蓄電コンデンサＣ２と、供給電流のオフ時に、平滑コンデンサＣ１に蓄えられた電荷の少なくとも一部を蓄電コンデンサＣ２上に移動させる第１移動手段と、供給電流の再度のオン時前に、第１移動手段によって蓄電コンデンサＣ２上に移動させた電荷の少なくとも一部を平滑コンデンサＣ１上に移動させる第２移動手段とを備える。【選択図】図１
2012147521.tif 000002
【特許請求の範囲】
【請求項１】
電源から負荷への供給電流を平滑化する平滑コンデンサと、
前記平滑コンデンサに対し並列に接続された蓄電コンデンサと、
前記供給電流のオフ時に、前記平滑コンデンサに蓄えられた電荷の少なくとも一部を前記蓄電コンデンサ上に移動させる第１移動手段と、
前記供給電流の再度のオン時前に、前記第１移動手段によって前記蓄電コンデンサ上に移動させた電荷の少なくとも一部を前記平滑コンデンサ上に移動させる第２移動手段と
を備えることを特徴とする電源回路。
【請求項２】
電源と負荷の間に接続され、前記電源から供給される供給電流の流れをオン／オフする第１スイッチと、
前記第１スイッチと前記負荷の間に、前記負荷に対し並列に接続された平滑コンデンサと、
前記第１スイッチと前記負荷の間に、前記負荷に対し並列に接続された蓄電コンデンサと、
前記平滑コンデンサと前記蓄電コンデンサとの間に接続され、前記平滑コンデンサから前記蓄電コンデンサへの整流電流の流れをオン／オフする第２スイッチと、
前記平滑コンデンサと前記蓄電コンデンサとの間に接続され、前記蓄電コンデンサから前記平滑コンデンサへの整流電流の流れをオン／オフする第３スイッチと、
前記第１スイッチのオフ時に、前記第２スイッチをオンして、前記第１スイッチのオン中に前記平滑コンデンサに蓄えられた電荷の少なくとも一部を前記蓄電コンデンサに移動させるとともに、前記第１スイッチの再度のオン時前に、前記第２スイッチをオフしかつ前記第３スイッチをオンして、前記蓄電コンデンサに移動させた電荷の少なくとも一部を前記平滑コンデンサに移動させる制御部と
を備えることを特徴とする電源回路。
【請求項３】
前記制御部は、
前記第３スイッチのオン後であって前記蓄電コンデンサから前記平滑コンデンサへの電荷の移動が略完了した時に、前記第１スイッチを再度オンすることを特徴とする請求項２に記載の電源回路。
【請求項４】
前記蓄電コンデンサに残留する電荷の少なくとも一部を放電させる放電抵抗を更に備えることを特徴とする請求項２又は請求項３に記載の電源回路。
【請求項５】
請求項１から請求項４の何れか１項に記載の電源回路を備えることを特徴とする電子機器。
【請求項６】
電源から負荷への供給電流を平滑化する平滑コンデンサと、前記平滑コンデンサに対し並列に接続された蓄電コンデンサとを備える電子機器における制御方法であって、
前記供給電流のオフ時に、前記平滑コンデンサに蓄えられた電荷の少なくとも一部を前記蓄電コンデンサ上に移動させるステップと、
前記供給電流の再度のオン時前に、前記第１移動手段によって前記蓄電コンデンサ上に移動させた電荷の少なくとも一部を前記平滑コンデンサ上に移動させるステップと
を有することを特徴とする制御方法。
【発明の詳細な説明】
【技術分野】
【０００１】
本発明は、電源回路、電子機器及び制御方法に関するものである。
【背景技術】
【０００２】
従来、電源電圧を平滑化する平滑コンデンサを用いた電子機器が知られている（例えば、特許文献１参照）。通常、電源ＯＮ時に電子機器の平滑コンデンサに蓄えられた電荷は、電源ＯＦＦ時に放電ループで放電するようにしている。平滑コンデンサの残留（余剰）電荷は、正常な回路動作上、又は、安全規格上の問題となるからである。
【先行技術文献】
【特許文献】
【０００３】
【特許文献１】特開２００９−２６８３２４号公報
【発明の概要】
【発明が解決しようとする課題】
【０００４】
しかしながら、上述の如く、平滑コンデンサに電源ＯＮ時に蓄えられた電荷は電源ＯＦＦ時に放電するようにしているため、電子機器を起動させる度に、放電分の電力が無駄になるという問題がある。また、放電回路の時定数が小さく、平滑コンデンサに蓄えられた電荷が仮に残留するような場合、電力消費に係る上記問題は軽減されるものの、上述の如く、正常な回路動作上、安全規格上の問題が生じることになる。更に、平滑コンデンサを用いると電源電圧を平滑化できる反面、電源ＯＮ時に、電源電圧と平滑コンデンサの蓄電電圧の差に応じた、大きな電流（突入電流）が流れてしまうという問題もある。
【０００５】
本発明はこのような事情に鑑みてなされたものであって、正常な回路動作上及び安全規格上の問題を生じさせることなく、起動時の消費電力及び突入電流を低減させる電源回路、電子機器及び制御方法を提供することを目的する。
【課題を解決するための手段】
【０００６】
上記問題を解決するために、本発明の一態様である電源回路は、電源から負荷への供給電流を平滑化する平滑コンデンサと、前記平滑コンデンサに対し並列に接続された蓄電コンデンサと、前記供給電流のオフ時に、前記平滑コンデンサに蓄えられた電荷の少なくとも一部を前記蓄電コンデンサ上に移動させる第１移動手段と、前記供給電流の再度のオン時前に、前記第１移動手段によって前記蓄電コンデンサ上に移動させた電荷の少なくとも一部を前記平滑コンデンサ上に移動させる第２移動手段とを備えることを特徴とする。
上記構成によれば、正常な回路動作上及び安全規格上の問題を生じさせることなく、起動時の消費電力及び突入電流を低減させることができる。
つまり、第１移動手段が、電源オフ時に、平滑コンデンサ上の電荷の少なくとも一部を蓄電コンデンサ上に退避し、第２移動手段が、次回の電源オン時に実際に平滑コンデンサに電流を流すのに先立って、蓄電コンデンサ上に退避させた電荷の少なくとも一部を平滑コンデンサ上に戻すようにしたため、起動時の消費電力を低減させることができる。即ち、退避電荷を次回の電源ＯＮ時に利用するようにしたため、節電効果がある。
また、上述の如く、第１移動手段が平滑コンデンサ上の電荷の少なくとも一部を蓄電コンデンサ上に退避するようにしたため、平滑コンデンサ上に電荷が残留し難くなる。よって、正常な回路動作上及び安全規格上の問題が生じ難くなる。
また、上述の如く、第２移動手段によって、実際に平滑コンデンサに電流を流すときには平滑コンデンサは蓄電されているため、突入電流を低減させることができる。
【０００７】
上記問題を解決するために、本発明の一態様である電源回路は、電源と負荷の間に接続され、前記電源から供給される供給電流の流れをオン／オフする第１スイッチと、前記第１スイッチと前記負荷の間に、前記負荷に対し並列に接続された平滑コンデンサと、前記第１スイッチと前記負荷の間に、前記負荷に対し並列に接続された蓄電コンデンサと、前記平滑コンデンサと前記蓄電コンデンサとの間に接続され、前記平滑コンデンサから前記蓄電コンデンサへの整流電流の流れをオン／オフする第２スイッチと、前記平滑コンデンサと前記蓄電コンデンサとの間に接続され、前記蓄電コンデンサから前記平滑コンデンサへの整流電流の流れをオン／オフする第３スイッチと、前記第１スイッチのオフ時に、前記第２スイッチをオンして、前記第１スイッチのオン中に前記平滑コンデンサに蓄えられた電荷の少なくとも一部を前記蓄電コンデンサに移動させるとともに、前記第１スイッチの再度のオン時前に、前記第２スイッチをオフしかつ前記第３スイッチをオンして、前記蓄電コンデンサに移動させた電荷の少なくとも一部を前記平滑コンデンサに移動させる制御部とを備えることを特徴とする。
上記構成によれば、上記と同様、正常な回路動作上及び安全規格上の問題を生じさせることなく、起動時の消費電力及び突入電流を低減させることができる。
つまり、制御部が、電源オフ時に、平滑コンデンサに蓄えられていた電荷の少なくとも一部を蓄電コンデンサに移動させるとともに、次回の電源オン時に実際に平滑コンデンサに電流を流すのに先立って蓄電コンデンサ上に退避させた電荷の少なくとも一部を平滑コンデンサ上に戻すようにしたため、起動時の消費電力を低減させることができる。
また、上述の如く、制御部が平滑コンデンサ上の電荷の少なくとも一部を蓄電コンデンサ上に退避するようにしたため、平滑コンデンサ上に電荷が残留し難くなる。よって、正常な回路動作上及び安全規格上の問題が生じ難くなる。
また、上述の如く、制御部によって、実際に平滑コンデンサに電流を流すときには平滑コンデンサは蓄電されているため、突入電流を低減させることができる。
【０００８】
上記電源回路において、前記制御部は、前記第３スイッチのオン後であって前記蓄電コンデンサから前記平滑コンデンサへの電荷の移動が略完了した時に、前記第１スイッチを再度オンするようにしてもよい。
上記構成によれば、蓄電コンデンサから移動して蓄積された平滑コンデンサ上の電荷が、負荷抵抗などによって消費され目減りすることがなくなるため、起動時の消費電力及び突入電流を一層低減させることができる。
【０００９】
上記電源回路において、前記蓄電コンデンサに残留する電荷の少なくとも一部を放電させる放電抵抗を更に備えるようにしてもよい。
上記構成によれば、蓄電コンデンサに残留する電荷を消費させるため、電荷退避用のコンデンサに電荷が残留することによる、正常な回路動作上及び安全規格上の問題が生じ難くなる。
【００１０】
上記問題を解決するために、本発明の一態様である電子機器は、上述の電源回路を備えることを特徴とする。上記構成によれば、上記電源回路の上述の効果を有する電子機器を提供することができる。
【００１１】
上記問題を解決するために、本発明の一態様である制御方法は、電源から負荷への供給電流を平滑化する平滑コンデンサと、前記平滑コンデンサに対し並列に接続された蓄電コンデンサとを備える電子機器における制御方法であって、前記供給電流のオフ時に、前記平滑コンデンサに蓄えられた電荷の少なくとも一部を前記蓄電コンデンサ上に移動させるステップと、前記供給電流の再度のオン時前に、前記第１移動手段によって前記蓄電コンデンサ上に移動させた電荷の少なくとも一部を前記平滑コンデンサ上に移動させるステップとを有することを特徴とする。上記構成によれば、上記電源回路の上述の効果と同様の効果を得ることができる。
【図面の簡単な説明】
【００１２】
【図１】本発明の一実施形態による電源回路の構成図の一例である。
【図２】本発明の一実施形態による電源回路の動作例を示すタイミングチャートである。
【発明を実施するための形態】
【００１３】
以下、本発明の一実施形態について図面を参照して詳細に説明する。図１は、本発明の一実施形態による電源回路１の構成図の一例である。
【００１４】
電源回路１は、図１に示すように、第１スイッチＳＷ１、第２スイッチＳＷ２、第３スイッチＳＷ３、平滑コンデンサＣ１、蓄電コンデンサＣ２、第１整流素子Ｄ１、第２整流素子Ｄ２、放電抵抗Ｒ１、制御回路１０（制御部とも称する）を有して構成されている。制御回路１０は、ＯＦＦタイマー回路１６、入力検出回路１２及び起動時遅延回路１４から構成されている。なお、電源回路１は、図１に示すように、上記に加えて、電源を含む構成であってもよい。
【００１５】
また、電源回路１は、電子機器（例えば、プロジェクター、プリンター）に用いられる。即ち、電源回路１を備える電子機器は、電子機器１と負荷（各電子機器に応じた負荷回路）とを備える。
【００１６】
第１スイッチＳＷ１は、電源と負荷（電源回路１を用いる電子機器に応じた負荷回路）の間に接続され、電源からの入力電流の流れをオン／オフする。なお、以下の説明において、第１スイッチＳＷ１のオン時に負荷抵抗側に実際に流れる電流を供給電流という。
平滑コンデンサＣ１は、第１スイッチＳＷ１と負荷の間に、負荷に対し並列に接続されている。平滑コンデンサＣ１は、電源から負荷への供給電流を平滑化する。
蓄電コンデンサＣ２は、第１スイッチＳＷ１と負荷の間に、負荷に対し並列に接続されている。つまり、蓄電コンデンサＣ２は、平滑コンデンサＣ１に対し並列に接続されている。蓄電コンデンサＣ２は、平滑コンデンサＣ１に蓄えられていた電荷を一時的に退避させるためのコンデンサである。
【００１７】
第１整流素子Ｄ１は、平滑コンデンサＣ１側から蓄電コンデンサＣ２側への整流作用を有する。第２整流素子Ｄ２は、蓄電コンデンサＣ２側から平滑コンデンサＣ１側への整流作用を有する。
第２スイッチＳＷ２は、平滑コンデンサＣ１と蓄電コンデンサＣ２との間に接続されている。第２スイッチＳＷ２は、第１整流素子Ｄ１によって形成される、平滑コンデンサＣ１から蓄電コンデンサＣ２への整流電流の流れをオン／オフする。
第３スイッチＳＷ３は、平滑コンデンサＣ１と蓄電コンデンサＣ２との間に接続されている。第３スイッチＳＷ３は、第２整流素子Ｄ２によって形成される、蓄電コンデンサＣ２から平滑コンデンサＣ１への整流電流の流れをオン／オフする。
【００１８】
制御回路１０は、各スイッチＳＷ１、ＳＷ２、ＳＷ３のオンオフを制御する。つまり、制御回路１０は、各スイッチＳＷ１、ＳＷ２、ＳＷ３を適切なタイミングで制御し、平滑コンデンサＣ１に蓄えられていた電荷の少なくとも一部を蓄電コンデンサＣ２に移動させるとともに、蓄電コンデンサＣ２に一旦移動させた電荷の少なくとも一部を平滑コンデンサＣ１に再度移動させる。なお、制御回路１０による上記制御の詳細は後述する。
【００１９】
放電抵抗Ｒ１は、蓄電コンデンサＣ２に残留する電荷の少なくとも一部を放電させるための抵抗である。
【００２０】
以下、制御回路１０（ＯＦＦタイマー回路１６、入力検出回路１２及び起動時遅延回路１４）の制御を詳細に説明する。図２は、本発明の一実施形態による電源回路１の動作例を示すタイミングチャートである。まず、図２上の各記号を概説する。「ｔ０」〜「ｔ１１」は時刻を表している。「入力」は電源による入力電流、「ＳＷ１」は第１スイッチＳＷ１のオン（ＯＮ）／オフ（ＯＦＦ）、「ＳＷ２」は第２スイッチＳＷ２のオン（ＯＮ）／オフ（ＯＦＦ）、「ＳＷ３」は第３スイッチＳＷ３のオン（ＯＮ）／オフ（ＯＦＦ）、「Ｃ１」は平滑コンデンサＣ１上の電荷（例えば、ｑ１、ｑ２、ｑ３、ｑ４）、「Ｃ２」は蓄電コンデンサＣ２上の電荷（例えば、ｑ５、ｑ６）を表している。また、「ｄｉ１」は時刻「ｔ２」に平滑コンデンサＣ１を流れる電流、「ｄｉ２」は時刻「ｔ８」に平滑コンデンサＣ１を流れる電流を表している。
なお、説明の便宜上、時刻「ｔ０」において、各スイッチＳＷ１、ＳＷ２、ＳＷ３は何れもオフであり、平滑コンデンサＣ１及び蓄電コンデンサＣ２には電荷はないものとする（図１参照）。
【００２１】
（電源回路１の最初の起動時）
時刻「ｔ１」において、電源回路１の使用者が電源を入れると、入力検出回路１２は、入力電流を検出する。入力電流を検出した入力検出回路１２は、入力電流がオンになった旨の信号（以下、「入力電流オン信号」という）を起動時遅延回路１４に出力する。
【００２２】
入力電流オン信号を取得した起動時遅延回路１４は、入力電流オン信号の取得タイミングから所定の時間遅延させて、第１スイッチＳＷ１をオンにする。図２に示す例では、起動時遅延回路１４は、所定の時間（略、時刻「ｔ２」−時刻「ｔ１」）遅延させて、時刻「ｔ２」に第１スイッチＳＷ１をオンにしている。即ち、時刻「ｔ２」において、第１スイッチＳＷ１は、オンになる。これにより、供給電流が流れる。
【００２３】
第１スイッチＳＷ１のオンにより、平滑コンデンサＣ１に電荷が蓄えられ始め、時刻「ｔ２」から時刻「ｔ３」迄の間に、平滑コンデンサＣ１上の電荷は、ゼロから容量一杯「ｑ１」になる。
【００２４】
時刻「ｔ４」において、電源回路１の使用者が電源を落とすと、入力検出回路１２は、入力電流を検出しなくなる。入力電流を検出しなくなった入力検出回路１２は、入力電流がオフになった旨の信号（以下、「入力電流オフ信号」という）を起動時遅延回路１４に出力するとともに、第２スイッチＳＷ２をオンにする。
【００２５】
入力電流オフ信号を取得した起動時遅延回路１４は、直ちに第１スイッチＳＷ１をオフにする。即ち、時刻「ｔ４」において、第１スイッチＳＷ１は、オフになる。なお、第１スイッチＳＷ１をオフする前の入力検出回路１２が入力電流を検出しなくなった時点で、供給電流は流れなくなっている。
【００２６】
第１スイッチＳＷ１のオフ、及び、第２スイッチＳＷ２のオンにより、平滑コンデンサＣ１に蓄電されていた電荷「ｑ１」が放電し、時刻「ｔ４」から時刻「ｔ５」迄の間に、電荷「ｑ１」の少なくとも一部が蓄電コンデンサＣ２に移動する。具体的には、平滑コンデンサＣ１の静電容量をｃ１、蓄電コンデンサＣ２の静電容量をｃ２とするとき、時刻「ｔ５」において、平滑コンデンサＣ１と蓄電コンデンサＣ２の両端の電圧は等しくなるから、負荷抵抗などによる電力消費を無視すれば、下記式（１）が成立する。
【００２７】
ｃ１＊（ｑ１―ｑ４）＝ｃ２＊ｑ５  …（１）
【００２８】
蓄電コンデンサＣ２へ移動しなかった平滑コンデンサＣ１上の残留電荷「ｑ４」は、負荷抵抗などによって消費される。即ち、時刻「ｔ５」における残留電荷「ｑ４」は、漸次、放電し、平滑コンデンサＣ１上の電荷はゼロになる。
つまり、次回の起動時迄に負荷抵抗などによって消費されるべき電荷は、平滑コンデンサＣ１上に蓄えられていた電荷の全部「ｑ１」ではなく一部「ｑ４」であるため、平滑コンデンサＣ１上に電荷が残留し難くなる。よって、電源回路１における、正常な回路動作上、安全規格上の問題が生じ難くなる。
【００２９】
（電源回路１の２度目以降の起動時）
時刻「ｔ６」において、電源回路１の使用者が再度電源を入れると、入力検出回路１２は、入力電流を検出する。入力電流を検出した入力検出回路１２は、入力電流オン信号をＯＦＦタイマー回路１６及び起動時遅延回路１４に出力するとともに、第２スイッチＳＷ２をオフにする。
【００３０】
入力電流オン信号を取得したＯＦＦタイマー回路１６は、直ちに第３スイッチＳＷ３をオンにする。即ち、時刻「ｔ６」において、第３スイッチＳＷ３は、オンになる。なお、ＯＦＦタイマー回路１６は、所定の時間の経過後、第３スイッチＳＷ３をオフにしている。図２に示す例では、ＯＦＦタイマー回路１６は、所定の時間（略、時刻「ｔ９」−時刻「ｔ６」）経過後、時刻「ｔ９」に第３スイッチＳＷ３をオフにしている。
【００３１】
また、入力電流オン信号を取得した起動時遅延回路１４は、入力電流オン信号の取得タイミングから所定の時間遅延させて、第１スイッチＳＷ１をオンにする。図２に示す例では、起動時遅延回路１４は、所定の時間（略、時刻「ｔ８」−時刻「ｔ６」）遅延させて、時刻「ｔ８」に第１スイッチＳＷ１をオンにしている。即ち、時刻「ｔ８」において、第１スイッチＳＷ１は、オンになる。これにより、再度、供給電流が流れる。
なお、遅延時間（時刻「ｔ８」−時刻「ｔ６」）は、遅延時間（時刻「ｔ２」−時刻「ｔ１」）と同じである。
【００３２】
第２スイッチＳＷ２のオフ、及び、第３スイッチＳＷ３のオンにより、蓄電コンデンサＣ２に蓄電されていた電荷「ｑ５」が放電し、時刻「ｔ６」から時刻「ｔ７」迄の間に、電荷「ｑ５」の少なくとも一部が平滑コンデンサＣ１に移動する。具体的には、平滑コンデンサＣ１の静電容量をｃ１、蓄電コンデンサＣ２の静電容量をｃ２とするとき、時刻「ｔ７」において、平滑コンデンサＣ１と蓄電コンデンサＣ２の両端の電圧は等しくなるから、放電抵抗Ｒ１、負荷抵抗などによる電力消費を無視すれば、下記式（２）が成立する。
【００３３】
ｃ１＊（ｑ２）＝ｃ２＊（ｑ５−ｑ６）  …（２）
【００３４】
平滑コンデンサＣ１へ移動しなかった蓄電コンデンサＣ２上の残留電荷「ｑ６」は、放電抵抗Ｒ１などによって消費される。即ち、時刻「ｔ７」における残留電荷「ｑ６」は、漸次、放電し、蓄電コンデンサＣ２上の電荷はゼロになる。
【００３５】
一方、蓄電コンデンサＣ２から移動して蓄積された平滑コンデンサＣ１上の電荷「ｑ２」もまた、負荷抵抗などによって消費されるが、起動時遅延回路１４によって、時刻「ｔ８」には、第１スイッチＳＷ１がオンになるため、平滑コンデンサＣ１上には、電荷「ｑ２」と略同量の「ｑ３」が残留する。
【００３６】
第１スイッチＳＷ１のオンにより、平滑コンデンサＣ１に電荷が蓄えられ始め、時刻「ｔ８」から時刻「ｔ９」迄の間に、平滑コンデンサＣ１上の電荷は、上述の「ｑ３」から「ｑ１」になる。
つまり、平滑コンデンサＣ１上に電荷（「ｑ３」）が残留しているため、何も蓄電されていない場合に比べ、残留分（「ｑ３」）の電力消費が少なくなる。また、平滑コンデンサＣ１上に電荷（「ｑ３」）が残留しているため、何も蓄電されていない場合に比べ、突入電流「ｄｉ２」は、突入電流「ｄｉ１」よりも小さくなる。
【００３７】
続く、時刻「ｔ１０」の動きは時刻「ｔ４」と同一、時刻「ｔ１１」の動きは時刻「ｔ５」と同一である。つまり、時刻「ｔ１０」以降は、時刻「ｔ４」から時刻「ｔ１０」迄の動き繰り返す。
【００３８】
以上、タイミングチャートを用いて説明したが、換言すれば、制御回路１０は、電荷を移動させる下記の２つの移動手段（第１移動手段、第２移動手段）を備える。
【００３９】
即ち、第１移動手段は、供給電流のオフ時、即ち、第１スイッチＳＷ１のオフ時に、平滑コンデンサＣ１上の電荷の少なくとも一部を蓄電コンデンサＣ２上に移動させる。図２に示す例で言えば、第１移動手段は、時刻「ｔ４」に、平滑コンデンサＣ１上の電荷「ｑ１」の少なくとも一部（「ｑ1」−「ｑ４」）を蓄電コンデンサＣ２上に移動させる。但し、上記式（１）に示すように、平滑コンデンサＣ１の静電容量ｃ１、蓄電コンデンサＣ２の静電容量ｃ２の関係から、実際に、蓄電コンデンサＣ２上には電荷「ｑ５」が蓄えられる。なお、第１移動手段は、入力検出回路１２及び起動時遅延回路１４に相当する。
【００４０】
また、第２移動手段は、供給電流の再度のオン時、即ち、第１スイッチＳＷ１のオン時よりも前に、第１移動手段によって蓄電コンデンサＣ２上に移動させた電荷の少なくとも一部を平滑コンデンサＣ１上に再度移動させる。図２に示す例で言えば、第２移動手段は、時刻「ｔ８」よりも前の時刻「ｔ６」に、第１移動手段によって蓄電コンデンサＣ２上に移動させた電荷「ｑ５」の少なくとも一部（「ｑ５−ｑ６」）を平滑コンデンサＣ１上に再度移動させる。但し、上記式（２）に示すように、平滑コンデンサＣ１の静電容量ｃ１、蓄電コンデンサＣ２の静電容量ｃ２の関係から、実際に、平滑コンデンサＣ１上には電荷「ｑ２」が蓄えられる。なお、第２移動手段は、入力検出回路１２及びＯＦＦタイマー回路１６に相当に相当する。
【００４１】
以上、本発明の一実施形態による電源回路１によれば、正常な回路動作上及び安全規格上の問題を生じさせることなく、起動時の消費電力及び突入電流を低減させることができるようになる。
【００４２】
なお、制御回路１０は、第３スイッチＳＷ３のオン後であって蓄電コンデンサＣ２から平滑コンデンサＣ１への電荷の移動が略完了した時に、第１スイッチＳＷ１を再度オンすることが好ましい。図２に示す例で言えば、時刻「ｔ７」と時刻「ｔ８」の間の時間をゼロにすることが好ましい。これにより、蓄電コンデンサＣ２から移動して蓄積された平滑コンデンサＣ１上の電荷が、負荷抵抗などによって消費され目減りすることがなくなるため、起動時の消費電力及び突入電流を一層低減さることができる。
【００４３】
なお、本発明の実施形態による電源回路１の制御回路１０の各処理を実行するためのプログラムをコンピューター読み取り可能な記録媒体に記録して、当該記録媒体に記録されたプログラムをコンピューターシステムに読み込ませ、実行することにより、上記制御回路１０に係る上述した種々の処理を行ってもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００４４】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００４５】
以上、この発明の実施形態について図面を参照して詳述してきたが、具体的な構成はこの実施形態に限られるものではなく、この発明の要旨を逸脱しない範囲の設計等も含まれる。
【符号の説明】
【００４６】
１…電源回路、１０…制御回路、１２…入力検出回路、１４…起動時遅延回路、１６…ＯＦＦタイマー回路、ＳＷ１…第１スイッチ、ＳＷ２…第２スイッチ、ＳＷ３…第３スイッチ、Ｃ１…平滑コンデンサ、Ｃ２…蓄電コンデンサ、Ｄ１…第１整流素子、Ｄ２…第２整流素子、Ｒ１…放電抵抗
【図１】
2012147521.tif 000003
【図２】
2012147521.tif 000004